(57)【要約】【課題】  表示ムラを低減して表示品位の向上を図る。【解決手段】  液晶パネル４は、複数の走査線４１１と複数のデータ線４１２との各交差に設けられた画素電極４１３と、複数の走査線４１１の各々を順次に選択する走査線駆動回路５と、複数のデータ線４１２に共通に設けられた画像信号線６４４に供給されている画像信号ＶＩＤをサンプリングして各データ線４１２に供給するデータ線駆動回路６とを有する。信号補正回路２３は、各データ線４１２に供給されるべき画像信号ＶＩＤの補正量αを画像信号線６４４の延在方向に対する当該データ線４１２の位置に基づいて特定する補正量特定回路３２と、補正量特定回路３２により特定された補正量αに基づいて画像信号ＶＩＤを補正し、この補正後の画像信号ＶＩＤを画像信号線６４４に供給する補正回路３６とを有する。【選択図】        図１
2005157304.tif 000002
【特許請求の範囲】
【請求項１】
複数の走査線と複数のデータ線との各交差に設けられたスイッチング素子を介して前記走査線および前記データ線に電気的に接続された複数の画素電極と、電気光学物質を挟んで前記複数の画素電極に対向する対向電極と、前記複数の走査線の各々を順次選択する走査線駆動回路と、前記複数のデータ線に共通して設けられた画像信号線から供給される画像信号をサンプリングして前記各データ線に供給するデータ線駆動回路とを具備する電気光学装置に用いられる画像信号処理装置において、
前記各データ線に供給される画像信号の補正量を前記画像信号線の延在方向における当該データ線の位置に基づいて特定する特定手段と、
前記特定手段により特定された補正量に基づいて前記画像信号を補正し、該補正後の画像信号を前記画像信号線に供給する補正手段と
を具備する画像信号処理装置。
【請求項２】
前記補正手段は、前記対向電極への印加電圧に対する前記画像信号の信号レベルを前記補正量だけ変化させる一方、
前記特定手段は、前記画像信号線における前記画像信号の伝送方向に対して下流側に位置するデータ線に供給される画像信号の前記補正量が、前記伝送方向に対して上流側に位置するデータ線に供給される画像信号の前記補正量よりも大きくなるように各画像信号の補正量を特定する
請求項１に記載の画像信号処理装置。
【請求項３】
前記画像信号は所定周期のクロック信号に同期したシリアル信号として前記画像信号処理装置に供給されることを特徴とする請求項１または２に記載の画像信号処理装置。
【請求項４】
前記クロック信号を計数するカウンタを有し、前記カウンタにおける計数結果によって前記第２方向における前記データ線の位置を決定することを特徴とする請求項３に記載の画像信号処理装置。
【請求項５】
前記シリアル信号の画像信号を複数の系統のパラレル信号に変換する相展開回路を有することを特徴とする請求項３または４に記載の画像信号処理装置。
【請求項６】
複数の走査線と複数のデータ線との各交差に設けられたスイッチング素子を介して前記走査線および前記データ線に電気的に接続された複数の画素電極と、電気光学物質を挟んで前記複数の画素電極に対向する対向電極と、前記複数の走査線の各々を順次選択する走査線駆動回路と、前記複数のデータ線に共通して設けられたイネーブル信号線から供給されるイネーブル信号によって規定されるサンプリング信号に基づいて画像信号線により供給される画像信号をサンプリングして前記各データ線に供給するデータ線駆動回路とを具備する電気光学装置に用いられる画像信号処理装置において、
前記各データ線に供給される画像信号の補正量を前記イネーブル信号線の延在方向における当該データ線の位置に基づいて特定する特定手段と、
前記特定手段により特定された補正量に基づいて前記画像信号を補正し、該補正後の画像信号を前記画像信号線に供給する補正手段と
を具備する画像信号処理装置。
【請求項７】
前記特定手段は、２つ以上の前記データ線の各々に対応する補正量が記憶された記憶手段から画像信号が供給されるべきデータ線に対応する補正量を読み出して当該画像信号の補正量とする請求項１または６に記載の画像信号処理装置。
【請求項８】
前記記憶手段は、前記複数のデータ線のうち一部のデータ線に対応する補正量を記憶し、
前記特定手段は、前記記憶手段から読み出した補正量に補間処理を施すことによって前記一部のデータ線以外のデータ線に対応する補正量を特定する
請求項７に記載の画像信号処理装置。
【請求項９】
前記データ線駆動回路は、複数のデータ線のうち当該データ線の配列方向において一方に位置するデータ線から他方に位置するデータ線に向かう順番にて順次に画像信号をサンプリングする第１の動作モードと、前記他方に位置するデータ線から前記一方に位置するデータ線に向かう順番にて順次に画像信号をサンプリングする第２の動作モードとのいずれかにより画像信号をサンプリングする一方、
前記特定手段は、前記データ線の位置と前記データ線駆動回路の動作モードとに基づいて画像信号の補正量を特定する
請求項１または６に記載の画像信号処理装置。
【請求項１０】
前記画像信号を複数系統の画像信号に相展開して出力する相展開手段を具備し、
前記データ線駆動回路は、前記相展開手段による相展開数に応じた数のデータ線ごとに、前記相展開手段による相展開後の各画像信号を一括して供給する
請求項６に記載の画像信号処理装置。
【請求項１１】
複数の走査線と複数のデータ線との各交差に設けられたスイッチング素子を介して前記走査線および前記データ線に電気的に接続された複数の画素電極と、電気光学物質を挟んで前記複数の画素電極に対向する対向電極と、前記複数の走査線の各々を順次選択する走査線駆動回路と、画像信号線から供給される画像信号をサンプリングして前記各データ線に供給するデータ線駆動回路とを具備する電気光学装置に用いられる画像信号処理装置において、
前記画像信号線に前記画像信号を供給する出力端子と、
前記画像信号線における前記出力端子から前記画像信号がサンプリングされる点までの距離に基づいて、前記各データ線に供給される画像信号の補正量を特定する特定手段と、
前記特定手段により特定された補正量に基づいて前記画像信号を補正し、前記出力端子から該補正後の画像信号を前記画像信号線に供給する補正手段と
を具備する画像信号処理装置。
【請求項１２】
複数の走査線と複数のデータ線との各交差に設けられたスイッチング素子を介して前記走査線および前記データ線に電気的に接続された複数の画素電極と、電気光学物質を挟んで前記複数の画素電極に対向する対向電極と、前記複数の走査線の各々を順次選択する走査線駆動回路と、所定の周期でパルス信号を出力する出力回路と、イネーブル信号線から供給されるイネーブル信号と前記出力回路から出力されるパルス信号との論理積に基づくサンプリング信号によって画像信号線により供給される画像信号をサンプリングして前記各データ線に供給するサンプリング回路を有するデータ線駆動回路とを具備する電気光学装置に用いられる画像信号処理装置において、
前記イネーブル信号線における前記イネーブル信号が入力される端子から前記サンプリング回路に前記イネーブル信号が出力される点までの距離に基づいて、前記各データ線に供給される画像信号の補正量を特定する特定手段と、
前記特定手段により特定された補正量に基づいて前記画像信号を補正し、該補正後の画像信号を前記画像信号線に供給する補正手段と
を具備する画像信号処理装置。
【請求項１３】
請求項１から１２のいずれかに記載の画像信号処理装置を備えた電気光学装置。
【請求項１４】
前記データ線駆動回路は、
前記走査線駆動回路により走査線が選択されている期間において順次にパルス信号を出力する出力回路と、
イネーブル信号線に供給されるイネーブル信号と前記出力回路から出力されたパルス信号との論理積を演算し、この演算結果をサンプリング信号として出力するイネーブル回路と、
前記画像信号線に供給されている画像信号を前記イネーブル回路から出力されたサンプリング信号に基づいてサンプリングして前記各データ線に供給するサンプリング回路とを有し、
前記イネーブル信号線および前記画像信号線は、前記データ線の配列方向に延在する部分を有する配線であり、前記イネーブル信号線におけるイネーブル信号の伝送方向と前記画像信号線における画像信号の伝送方向とは逆である
請求項１３に記載の電気光学装置。
【請求項１５】
請求項１３または１４に記載の電気光学装置を具備する電子機器。
【請求項１６】
複数の走査線と複数のデータ線との各交差に設けられたスイッチング素子を介して前記走査線および前記データ線に電気的に接続された複数の画素電極と、電気光学物質を挟んで前記複数の画素電極に対向する対向電極と、前記複数の走査線の各々を順次に選択して当該走査線に対応するスイッチング素子をオン状態とする走査線駆動回路と、前記複数のデータ線に共通の画像信号線に供給されている画像信号を前記走査線駆動回路により走査線が選択されているときにサンプリングして前記各データ線に供給するデータ線駆動回路とを具備する電気光学装置に用いられる画像信号処理方法において、
前記各データ線に供給されるべき画像信号の補正量を前記画像信号線の延在方向に対する当該データ線の位置に基づいて特定し、
前記特定された補正量に基づいて画像信号を補正し、この補正後の画像信号を前記画像信号線に供給する
画像信号処理方法。
【請求項１７】
複数の走査線と複数のデータ線との各交差に設けられたスイッチング素子を介して前記走査線および前記データ線に電気的に接続された複数の画素電極と、電気光学物質を挟んで前記複数の画素電極に対向する対向電極と、前記複数の走査線の各々を順次に選択して当該走査線に対応するスイッチング素子をオン状態とする走査線駆動回路と、走査線が選択されている期間において順次に生成されるパルス信号と前記複数のデータ線に共通のイネーブル信号線に供給されるイネーブル信号との論理積に相当するサンプリング信号に基づいて画像信号線の画像信号をサンプリングして前記各データ線に供給するデータ線駆動回路とを具備する画像信号処理方法において、
前記各データ線に供給されるべき画像信号の補正量を前記イネーブル信号線の延在方向に対する当該データ線の位置に基づいて特定し、
前記特定された補正量に基づいて画像信号を補正し、この補正後の画像信号を前記画像信号線に供給する
画像信号処理方法。
【発明の詳細な説明】
【技術分野】
【０００１】
本発明は、液晶などの電気光学物質により画像を表示する電気光学装置において画像信号を補正する技術に関する。
【背景技術】
【０００２】
電気的作用に応じて光学的な特性が変化する電気光学物質を用いて画像を表示する種々の電気光学装置が提案されている。例えば、特許文献１には、走査線およびデータ線にスイッチング素子を介して接続された画素電極と、走査線を順次に選択する走査線駆動回路と、複数のデータ線に共通に設けられた画像信号線と、画像信号線に供給されている画像信号をデータ線にサンプリングするデータ線駆動回路とを備えた構成が開示されている。
【０００３】
【特許文献１】特開２００２−１４９１３６号公報（段落０００５から段落００１４および図１２）
【発明の開示】
【発明が解決しようとする課題】
【０００４】
しかしながら、この構成のもとでは、所期の階調と実際に表示される階調との差異が画像信号線の延在方向にわたって異なるという問題があった。例えば、仮に総ての画素を同階調にて表示するように画像信号を選定したとしても、実際には、画像信号線における画像信号の伝送方向に対して下流側の画素電極への印加電圧が上流側の画素電極への印加電圧よりも小さくなる。この場合、ノーマリーホワイトモードの液晶装置を例にとれば、画像信号の伝送方向に対して下流側に位置する画素ほど明るい階調となる。このような階調の相違は観察者に表示ムラ（すなわち表示色の濃淡）として認識されることとなり、表示品位の低下の原因となっていた。本発明は、このような事情に鑑みてなされたものであり、その目的は、表示ムラを低減して良好な表示品位を得ることにある。
【課題を解決するための手段】
【０００５】
本発明は、複数の走査線と複数のデータ線との各交差に設けられたスイッチング素子を介して走査線およびデータ線に電気的に接続された複数の画素電極と、電気光学物質を挟んで複数の画素電極に対向する対向電極と、複数の走査線の各々を順次選択してする走査線駆動回路と、画像信号をサンプリングして各データ線に供給するデータ線駆動回路とを具備する電気光学装置において画像信号を補正するために特に好適に採用される。なお、電気光学物質とは、電圧の供給や電圧の印加といった電気的な作用に応じて光透過率や輝度といった光学的な特性が変化する物質である。電気光学物質の例としては、印加された電圧に応じて配向方向（ひいては光透過率）が変化する液晶や、流れる電流に応じて輝度が変化する有機ＥＬ（ElectroLuminescent）や発光ポリマーなどのＯＬＥＤ（Organic Light Emitting Diode）素子が挙げられる。
【０００６】
この構成の電気光学装置においては、画像信号が複数のデータ線に共通する画像信号線を介して供給される一方、データ線駆動回路が、この画像信号線を介して供給されている画像信号を走査線が選択されている期間においてサンプリングして各データ線に供給する構成が採用され得る。この構成においては、画像信号線と対向電極（あるいはその他の導電体）との間に寄生容量が発生するとともに画像信号線自体にも抵抗が存在する。本願発明者は、この寄生容量や抵抗が表示ムラの原因になるという知見を得るに至った。すなわち、画像信号線を介して伝送される画像信号には、この画像信号線の寄生容量や抵抗に起因した波形のなまりや位相の遅延が生じ得る。この寄生容量や抵抗は画像信号線のうち画像信号が入力される地点（画像信号線に画像信号を供給する端子）から離れるほど大きくなるから、これに起因した波形のなまりや位相の遅延（以下ではこれらの現象を総称して「信号歪み」という）の影響は画像信号線における画像信号の伝送方向に対して下流側に至るほど大きくなる。この信号歪みの程度の相違によって各画素電極に供給される画像信号のレベルがばらつき、この結果として表示ムラが引き起こされるのである。本発明はこの知見に基づいてなされたものであり、その第１の特徴は、各データ線に供給されるべき画像信号の補正量を画像信号線の延在方向に対する当該データ線の位置に基づいて（例えば画素が面状に配列された表示領域の左右方向の位置に応じて）特定し、この補正量に基づいて画像信号を補正したうえで画像信号線に供給することにある。この構成によれば、画像信号の補正量が画像信号線の延在方向に対するデータ線の位置に応じて特定されるから、データ線の位置（より具体的には画像信号線のうち画像信号がサンプリングされる地点）に応じた画像信号の信号歪みの相違が補償されて表示ムラが防止される。
【０００７】
この発明の具体的な態様において、補正手段は、対向電極への印加電圧に対する画像信号の信号レベルを補正量だけ増加させる。上述したように信号歪みの程度は画像信号の伝送方向に対して下流側に至るほど大きくなるから、この態様における特定手段は、画像信号線における画像信号の伝送方向に対して下流側のデータ線に供給される画像信号の補正量が、伝送方向に対して上流側のデータ線に供給される画像信号の補正量よりも大きくなるように各画像信号の補正量を特定することが望ましい。
【０００８】
また、ここでは画像信号の信号歪みを問題としたが、これ以外の信号に生じる信号歪みが表示ムラの原因となる場合もある。例えば、電気光学装置においては、データ線駆動回路が、走査線が選択されている期間において順次に選択されるパルス信号と、複数のデータ線に共通のイネーブル信号線に供給されるイネーブル信号との論理積に相当するサンプリング信号に基づいて画像信号線の画像信号をサンプリングして各データ線に供給する構成も採用され得る。この構成においては上記画像信号線について説明したのと同様に、イネーブル信号線と対向電極（あるいはその他の導電体）との間に生じる寄生容量とイネーブル信号線自体の抵抗とに起因してイネーブル信号にも信号歪み（特に位相の遅延）が発生し、その程度はイネーブル信号の伝送方向に対するデータ線の位置に応じて異なる。そして、画像信号をデータ線にサンプリングする期間はイネーブル信号によって定められるから、イネーブル信号の信号歪みの相違は画像信号の信号歪みと同様にして表示ムラの原因となり得る。この事情に鑑みて、本発明の第２の特徴は、各データ線に供給されるべき画像信号の補正量をイネーブル信号線の延在方向に対する当該データ線の位置に基づいて特定し、この補正量に基づいて画像信号を補正したうえで画像信号線に供給する。この構成によれば、画像信号の補正量がイネーブル信号線に対するデータ線の位置に応じて特定されるから、データ線の位置（より具体的にはイネーブル信号線のうちパルス信号との論理積を演算するためのイネーブル信号が取り出される地点）に応じたイネーブル信号の信号歪みの相違が補償されて表示ムラが防止される。
【０００９】
上記第１および第２の特徴に係る発明の他の態様において、特定手段は、２以上のデータ線の各々に対応する補正量が記憶された記憶手段から画像信号が供給されるべきデータ線に対応する補正量を読み出して当該画像信号の補正量とする。この態様によれば、記憶手段による記憶内容に基づいて補正量が特定されるから、種々の演算により補正量を算定する構成と比較して簡素な構成により迅速に補正量を特定することができる。この他にも所定の演算によって補正量を算定する構成が採用され得る。例えば、データ線の位置を変数とした所定の演算によって補正量を算定する構成としてもよい。また、複数のデータ線のうち一部のデータ線に対応する補正量のみを記憶手段に記憶しておき、これらの補正量に対して補間処理を施すことによって当該一部のデータ線以外のデータ線に対応する補正量を特定するようにしてもよい。この態様における補間処理の典型的な例は直線補間であるが、その他の補間処理も採用され得る。
【００１０】
電気光学装置のなかには、表示画像の上下を反転させた表示動作が要求されるものもある。例えば、電気光学装置をライトバルブ（スクリーンに照射されるべき光量を画素ごとに変調する手段）として用いたプロジェクタにおいては、装置本体を床面に設置して表示を行なう使用態様のほか、装置の上下を反転させて天井面に設置して表示を行なう仕様態様が要求される場合がある。このような電気光学装置のデータ線駆動回路は、その仕様態様に応じて、複数のデータ線のうち当該データ線の配列方向において一方に位置するデータ線から他方に位置するデータ線に向かう順番にて順次に画像信号をサンプリングする第１の動作モードと、他方に位置するデータ線から一方に位置するデータ線に向かう順番にて順次に画像信号をサンプリングする第２の動作モードとのいずれかにより動作する。この構成のもとで、画像信号線における画像信号の伝送方向やイネーブル信号線におけるイネーブル信号の伝送方向が動作モードに拘わらず固定的であるとすれば、各信号の伝送方向とサンプリングの方向との関係が動作モードに応じて逆転することとなるから、データ線の位置に応じて特定される最適な補正量は動作モードにおいて相違し得る。したがって、この種の電気光学装置に本発明が適用される場合、特定手段は、データ線の位置のほかデータ線駆動回路の動作モードに基づいて画像信号の補正量を特定することが望ましい。
【００１１】
また、本発明の他の態様において、画像信号を複数の画像信号に相展開して出力する相展開手段が画像信号線の前段に設けられる一方、データ線駆動回路は、相展開手段による相展開数に応じた数のデータ線ごとに、相展開手段による相展開後の各画像信号を一括して供給する。この態様によれば、各データ線を点順次にて駆動する方式と比較して、データ線駆動回路に要求される動作周波数が低減されるとともに、パルス信号を出力する出力回路としてシフトレジスタを用いた場合には当該シフトレジスタの段数が低減されるという利点がある。なお、相展開手段と補正手段との位置関係は不問である。すなわち、相展開手段を補正手段の前段に設け、相展開手段による相展開後の各画像信号に対して補正手段による補正を施してもよいし、相展開手段を補正手段の後段に設け、補正手段による補正後の画像信号に対して相展開手段による相展開を施してもよい。
【００１２】
本発明は、画像信号を処理する装置のほか、上記第１または第２の特徴に係る手順によって画像信号を処理する方法としても、あるいは第１または第２の特徴を有する画像信号処理装置を備えた電気光学装置としても実現され得る。さらに、本発明に係る電気光学装置を備えた電子機器によれば、表示ムラを抑えた高品位の表示が可能である。
【発明を実施するための最良の形態】
【００１３】
本発明を実施した具体的な形態を説明する。以下では、液晶を電気光学物質として用いた液晶装置に本発明が適用された構成を例示するが、本発明の適用され得る範囲をこの種の装置に限定する趣旨ではない。また、以下に示す各図においては、便宜的に各構成要素の寸法や比率を実際のものとは異ならせてある。
【００１４】
＜Ａ：液晶装置＞
図１は本実施形態に係る液晶装置の機能的な構成を示すブロック図である。同図に示されるように、この液晶装置１００は、制御回路１と、画像信号処理回路２と、液晶パネル４とを有する。このうち制御回路１は、電子機器のＣＰＵ（Central Processing Unit）など各種の上位装置から供給される制御信号（例えばドットクロック信号ＤＣＫ）に基づいて液晶装置１００の各部を制御する手段である。
【００１５】
画像信号処理回路２は、上位装置から供給されるデジタルの画像信号を液晶パネル４への供給に適した信号に加工するための回路であり、Ｄ／Ａ（Digital to Analog）変換器２１、Ｓ／Ｐ（Serial to Parallel）変換回路２２、信号補正回路２３および増幅・反転回路２６を有する。このうちＤ／Ａ変換器２１は、上位装置から供給されたデジタルの画像信号をアナログの画像信号Ｖに変換して出力する。Ｓ／Ｐ変換回路２２は、Ｄ／Ａ変換器２１から供給される画像信号Ｖを複数の系統（本実施形態においては６系統とする）に展開するとともに、各系統の信号を時間軸方向にＮ倍に伸長（シリアル−パラレル変換）したうえで相展開画像信号Ｖａ1、Ｖａ2、…、Ｖａ6として出力する回路である（図５参照）。一方、信号補正回路２３は、相展開画像信号Ｖａ1、Ｖａ2、…、Ｖａ6の各々に補正処理を施し、これにより得られた信号を補正画像信号Ｖｂ1、Ｖｂ2、…、Ｖｂ6として出力する回路である。なお、信号補正回路２３の具体的な構成や動作については後に詳述する。
【００１６】
増幅・反転回路２６は、信号補正回路２３から出力された補正画像信号Ｖｂ1、Ｖｂ2、…、Ｖｂ6のうち極性反転が必要となる信号を反転させるとともに、各補正画像信号Ｖｂ1、Ｖｂ2、…、Ｖｂ6を適宜に増幅したうえで画像信号ＶＩＤ1、ＶＩＤ2、…、ＶＩＤ6として液晶パネル４に出力する回路である。ここで、極性反転とは、後述する対向電極への印加電圧ＬＣcom（あるいは他の定電圧）を基準として、補正画像信号Ｖｂ1、Ｖｂ2、…、Ｖｂ6の電圧レベルを正極性および負極性の一方から他方に交互に切り替えることを言う。極性反転の対象となる補正画像信号は、各画素に電圧を印加する方式が、（１）走査線ごとに極性を反転させる方式（いわゆる行反転）であるか、（２）データ線ごとに極性を反転させる方式（いわゆる列反転）であるか、（３）隣接する画素ごとに極性を反転させる方式（いわゆる画素反転）であるかに応じて適宜に選定され、その反転周期は１水平走査期間またはドットクロック周期に設定される。なお、以下では、画像信号ＶＩＤ1、ＶＩＤ2、…、ＶＩＤ6の各々を特に区別する必要がない場合には単に「画像信号ＶＩＤ」と表記する。また、ここではＳ／Ｐ変換処理、補正処理および増幅・反転処理に先立ってＤ／Ａ変換処理を行なう構成を例示したが、これらの処理の後またはこれらの処理の間にＤ／Ａ変換処理を行なう構成も採用され得る。
【００１７】
一方、液晶パネル４は、Ｘ方向（行方向）およびＹ方向（列方向）にわたってマトリクス状に配置された複数の画素によって任意の画像を表示する手段である。図２に示されるように、液晶パネル４は、略長方形の枠状に成形されたシール材４５を介して相互に対向するように貼り合わされた素子基板４１と対向基板４２とを有する。素子基板４１および対向基板４２は、ガラスやプラスチックなどからなる板状またはフィルム状の部材である。両基板とシール材４５とによって囲まれた領域には例えばＴＮ（Twisted Nematic）型の液晶４６が電気光学物質として封止されている。一方、液晶パネル４は、素子基板４１に接合されたフレキシブル配線基板を介してプリント基板と電気的に接続されている（図示略）。上述した制御回路１や画像信号処理回路２は、このプリント基板上に実装される。
【００１８】
対向基板４２のうち素子基板４１と対向する板面上には対向電極４２１が設けられている。この対向電極４２１は、対向基板４２の四隅のうち少なくとも１箇所に設けられた導通材を介して素子基板４１上の配線（図示略）と電気的に接続され、制御回路１によって電圧ＬＣcomが印加される。さらに対向基板４２には、各画素に対応するように設けられて特定の波長の光を選択的に透過させる着色層（カラーフィルタ）や、画素以外の領域と重なるように設けられて光を遮る遮光層が設けられる（いずれも図示略）。もっとも、後述するプロジェクタ（図１３参照）のように特定の色に対応する波長の光を変調するために用いられる場合には着色層が不要となる。
【００１９】
次に、図３は、素子基板４１に設けられた各要素の電気的な構成を示すブロック図である。同図に示されるように、素子基板４１のうち対向基板４２と対向する板面上には、Ｘ方向に延在して走査線駆動回路５に接続された複数の走査線４１１と、Ｙ方向に延在してデータ線駆動回路６に接続された複数のデータ線４１２とが設けられている。さらに、図２および図３に示されるように、複数の走査線４１１と複数のデータ線４１２との各交差には画素電極４１３が設けられている。各画素電極４１３は液晶４６を挟んで対向電極４２１に対向する略矩形状の電極であり、薄膜トランジスタ（以下「ＴＦＴ（Thin Film Transistor）」という）４１４を介して走査線４１１およびデータ線４１２に接続されている。具体的には、ＴＦＴ４１４のゲートが走査線４１１に接続され、ソースがデータ線４１２に接続され、ドレインが画素電極４１３に接続されている。以上の構成のもと、画素電極４１３と対向電極４２１と両電極により挟まれた液晶４６とによって画素が構成される。本実施形態においては、走査線４１１の本数を「ｍ（ｍは２以上の自然数）」とし、データ線４１２の本数を「６ｎ（ｎは１以上の自然数）」とする。したがって、複数の画素電極４１３は、Ｘ方向およびＹ方向にわたってｍ行×６ｎ列のマトリクス状に配列することとなる。また、合計６ｎ本のデータ線４１２は、画像信号Ｖの相展開数に相当する６本を単位としてｎ個のブロックＢ（Ｂ1、Ｂ2、…、Ｂn）に区分されている。そして、ひとつのブロックＢj（ｊは１からｎまでの自然数）に属する６本のデータ線４１２の各々には、Ｓ／Ｐ変換回路２２による相展開を経た６つの画像信号ＶＩＤ1、ＶＩＤ2、…、ＶＩＤ6がそれぞれ一斉に供給される。
【００２０】
走査線駆動回路５およびデータ線駆動回路６は各画素を駆動するための回路である。これらの駆動回路を構成する素子（例えばスイッチング素子）は、画素ごとに設けられたＴＦＴ４１４と共通の製造プロセスにて形成される。このうち走査線駆動回路５は、複数の走査線４１１の各々を順次に選択する回路である。本実施形態における走査線駆動回路５はｍビットのシフトレジスタを有し、水平走査期間ごとに順次にアクティブレベルとなる走査信号Ｇi（ｉは１からｍまでの自然数）をｍ本の走査線４１１の各々に対して垂直走査期間ごとに出力する。さらに詳述すると、走査線駆動回路５は、図５に示されるように、垂直走査期間の最初に制御回路１から供給される転送開始パルスＤＹを、同じく制御回路１から供給されるクロック信号ＣＬＹ（１水平走査期間に相当する周期を有するクロック信号）に従って順次にシフトすることにより走査信号Ｇ1、Ｇ2、…、Ｇmとして出力する。各走査線４１１に供給される走査信号Ｇiがアクティブレベルになると、その走査線４１１に接続された１行分のＴＦＴ４１４が一斉にオン状態となる。
【００２１】
一方、データ線駆動回路６は、画像信号線６４４に供給される画像信号ＶＩＤ1ないしＶＩＤ6をサンプリングして各データ線４１２に供給する回路である。図４に示されるように、本実施形態におけるデータ線駆動回路６は、ブロック数に相当するｎビットのシフトレジスタ６１と、イネーブル回路６３と、サンプリング回路６４とを有する。このうちシフトレジスタ６１は、図５に示されるように、水平走査期間の最初に制御回路１から供給される転送開始パルスＤＸを、同じく制御回路１から供給されるクロック信号ＣＬＸ（ドットクロックＤＣＫの６周期分に相当する周期を有するクロック信号）に従って順次にシフトすることによりパルス信号Ｓ1’、Ｓ2’、…、Ｓn’として出力する。
【００２２】
ところで、液晶装置１００が適用される電子機器によっては、表示される画像の上下および左右を反転させることが必要になる場合がある。例えば、液晶装置１００をライトバルブとして用いたプロジェクタにおいては、鉛直方向の上方を向く床面上に装置本体を設置して表示を行なう使用態様と、この仕様態様とは装置本体の上下を逆転させたうえで、鉛直方向の下方を向く天井面上に設置して表示を行なう使用態様とが想定されるため、各使用態様に応じて画像の上下および左右を反転させる必要がある。このような使用態様の切り替えに対応するために、本実施形態における液晶装置１００は、それぞれ複数のデータ線４１２に対する画像信号ＶＩＤのサンプリング方向（サンプリングの順番）が異なる２つの動作モードが用意されている。このうち第１の動作モードにおいては、図１１（ａ）に示されるように、表示面のうちＹ方向の負側に位置する走査線４１１から正側に位置する走査線４１１に向かう順番に走査信号Ｇiがアクティブレベルとされる一方、各水平走査期間においてはＸ方向の負側に位置するデータ線４１２から正側に位置するデータ線４１２に向かう順番に（すなわち図１１（ａ）に示されるサンプリング方向Ｄ1に沿って）画像信号ＶＩＤがサンプリングされる。これに対し、第２の動作モードにおいては、図１１（ｂ）に示されるように、表示面のうちＹ方向の正側に位置する走査線４１１から負側に位置する走査線４１１に向かう順番に走査信号Ｇiがアクティブレベルとされる一方、各水平走査期間においてはＸ方向の正側に位置するデータ線４１２から負側に位置するデータ線４１２に向かう順番に（すなわち図１１（ｂ）に示されるサンプリング方向Ｄ2に沿って）画像信号ＶＩＤがサンプリングされる。この切り替えを実現するために、本実施形態における走査線駆動回路５のシフトレジスタとデータ線駆動回路６のシフトレジスタ６１とは、転送開始パルスＤＹおよびＤＸのシフト方向が動作モードに応じて切り替えられるようになっている。より具体的には、第１の動作モードにおいては、走査信号Ｇ1、Ｇ2、…、Ｇmがこの順番にアクティブレベルになるとともにパルス信号Ｓ1’、Ｓ2’、…、Ｓn’がこの順番に出力される一方、第２の動作モードにおいては走査信号Ｇm、…、Ｇ2、Ｇ1がこの順番にアクティブレベルになるとともにパルス信号Ｓn’、…、Ｓ2’、Ｓ1’がこの順番に出力されることとなる。一方、画像信号Ｖの内容（特に各画素に対する画像信号Ｖの順番）は動作モードに拘わらず固定的であるから、液晶装置１００によって表示される画像（図１１の例では文字「ＡＢＣ」）は各動作モードにおいて上下および左右が反転することとなる。実際に適用される動作モードは、例えば操作子（図示略）に対する利用者の操作に応じて選定される。
【００２３】
図４に示されるイネーブル回路６３は、パルス信号Ｓj’に応じた画像信号ＶＩＤのサンプリングの許否を決定するための回路であり、ブロック数（換言すればシフトレジスタ６１の段数）に相当するｎ個のＡＮＤゲート６３１を有する。各ＡＮＤゲート６３１の一方の入力端はシフトレジスタ６１の出力端にそれぞれ接続されている。したがって、各ＡＮＤゲート６３１の一方の入力端にはパルス信号Ｓ1’、Ｓ2’、…、Ｓn’の何れかが供給される。また、これらのＡＮＤゲート６３１の他方の入力端は共通のイネーブル信号線６３４に接続されている。このイネーブル信号線６３４は、制御回路１から出力されたイネーブル信号ＥＮＢを伝送するための配線である。さらに詳述すると、イネーブル信号線６３４は、制御回路１から図３におけるデータ線駆動回路６の右端に至るように素子基板４１上に引き廻され、この地点からデータ線４１２の配列方向たるＸ方向に延在する。したがって、制御回路１から出力されたイネーブル信号ＥＮＢは、イネーブル信号線６３４のうちＸ方向の正側に位置する地点Ａから負側に位置する地点Ｂに向かって（すなわち図３および図４における左向きに）伝送される。そして、各ＡＮＤゲート６３１の入力端は、図４に示されるように、イネーブル信号線６３４のうちその延在方向における異なる地点に接続されている。以上の構成のもと、イネーブル信号ＥＮＢとシフトレジスタ６１から出力されたパルス信号Ｓj’との論理積が各ＡＮＤゲート６３１（ｊ番目のＡＮＤゲート６３１）によって演算され、これにより得られた信号がサンプリング信号Ｓj（Ｓ1、Ｓ2、…、Ｓn）として出力される。
【００２４】
ここで、イネーブル信号ＥＮＢは、図５に示されるように、パルス信号Ｓ1’、Ｓ2’、…、Ｓn’の各々に対応するタイミングにパルスを有し、そのアクティブレベルとなる期間（パルス幅）がパルス信号Ｓ1’、Ｓ2’、…、Ｓn’の前縁から後縁までの期間に包含されるように、パルス信号Ｓ1’、Ｓ2’、…、Ｓn’の各々よりもパルス幅が狭くなっている。さらに詳述すると、イネーブル信号ＥＮＢは、各パルス信号Ｓ1’、Ｓ2’、…、Ｓn’の前縁から所定の時間長が経過した時点において立ち上がるとともに、各パルス信号Ｓ1’、Ｓ2’、…、Ｓn’の後縁から所定の時間長だけ手前の時点において立ち下がる信号である。サンプリング信号Ｓjは、このような波形のイネーブル信号ＥＮＢとパルス信号Ｓj’との論理積として生成されるから、図５に示されるように、サンプリング信号Ｓ1、Ｓ2、…、Ｓnがアクティブレベルとなる期間は時間軸上において相互に離間することとなる（すなわち、アクティブレベルとなる期間が時間的に重複しない）。
【００２５】
一方、図４に示されるサンプリング回路６４は、画像信号処理回路２から６本の画像信号線６４４を介して供給される画像信号ＶＩＤ1ないしＶＩＤ6をサンプリング信号Ｓ1、Ｓ2、…、Ｓnに基づいて順次にサンプリングして各データ線４１２に供給する回路であり、データ線４１２ごとにサンプリングスイッチ６４１を有する。各サンプリングスイッチ６４１はＴＦＴ４１４と共通の製造プロセスにて形成された薄膜トランジスタであり、そのドレインがデータ線４１２に接続される一方、各ブロックＢjに属するデータ線４１２に接続された６個のサンプリングスイッチ６４１のゲートは対応するＡＮＤゲート６３１の出力端に対して共通に接続されている。一方、各ブロックＢjに属する６個のサンプリングスイッチ６４１のソースは６本の画像信号線６４４にそれぞれ接続されている。より具体的には、各ブロックＢjごとに設けられた６個のサンプリングスイッチ６４１のうち左からｋ（ｋは１から６までの自然数）番目に位置するサンプリングスイッチ６４１のソースは画像信号ＶＩＤkが供給される画像信号線６４４に対して共通に接続されている。
【００２６】
各画像信号線６４４は、画像信号処理回路２の出力端子から図３におけるデータ線駆動回路６の左端に至るように素子基板４１上に引き廻され、この地点からデータ線４１２の配列方向たるＸ方向に延在する。したがって、画像信号処理回路２から出力された画像信号ＶＩＤ1ないしＶＩＤ6は、各画像信号線６４４のうちＸ方向の負側に位置する地点Ｂから正側に位置する地点Ａに向かって（すなわち図３および図４における右向きに）伝送される。すなわち、イネーブル信号線６３４におけるイネーブル信号ＥＮＢの伝送方向と画像信号線６４４における画像信号ＶＩＤ1ないしＶＩＤ6の伝送方向とが逆になっている。このように、画像信号線６４４がデータ線駆動回路６の一方を経由するように設けられるとともにイネーブル信号線６３４がデータ線駆動回路６の他方を経由するように設けられる構成によれば、素子基板４１において配線が形成されるスペースはデータ線駆動回路６の両側に分散されるから、画像信号線６４４およびイネーブル信号線６３４の双方がデータ線駆動回路６の一方のみを経由するように設けられた構成と比較して、いわゆるデッドスペースを低減することができる。
【００２７】
以上の構成のもと、走査信号Ｇiがアクティブレベルに遷移してｉ行目に属する６ｎ個のＴＦＴ４１４がオン状態とされる水平走査期間において、データ線駆動回路６のシフトレジスタ６１は、各ブロックＢjに対応するパルス信号Ｓj’を順次に出力する。いま、ｊ番目のブロックＢjに対応するパルス信号Ｓj’がイネーブル回路６３のｊ番目のＡＮＤゲート６３１に入力された場合を想定する。この場合、ＡＮＤゲート６３１から出力されるサンプリング信号Ｓjはイネーブル信号ＥＮＢがアクティブレベルとなる期間にわたってアクティブレベルとなるから、ブロックＢjに属する６個のサンプリングスイッチ６４１が一斉にオン状態となる。このとき、画像信号線６４４に供給されている画像信号ＶＩＤ1ないしＶＩＤ6がそれぞれ対応するデータ線４１２（ブロックＢjに属する６本のデータ線４１２）にサンプリングされ、走査線駆動回路５によってオン状態とされているＴＦＴ４１４をを介して画素電極４１３に供給される。このような画像信号ＶＩＤのサンプリングが各水平走査期間に総てのブロックＢ1、Ｂ2、…、Ｂnについて実行される結果、ｍ行×６ｎ列の総ての画素電極４１３に対して画像信号ＶＩＤに応じた電圧が印加され、各画素電極４１３と対向電極４２１との電位差に応じて液晶４６の配向方向が変化させられる。
【００２８】
以上に説明したように、本実施形態においてはイネーブル信号線６３４および各画像信号線６４４が総てのデータ線４１２について共用されるようになっている。ここで、各画像信号線６４４と対向電極４２１との間、およびイネーブル信号線６３４と対向電極４２１との間にはそれぞれ寄生容量が発生する。しかも、各画像信号線６４４やイネーブル信号線６３４はそれ自体が抵抗を有する導電体である。以上に説明した構成のもとでは、この寄生容量や抵抗に起因して、画像信号ＶＩＤやイネーブル信号ＥＮＢに波形のなまりや位相の遅延といった信号歪みが生じ得る。本発明者は、これらの信号歪みが表示ムラの原因のひとつであるという知見を得るに至った。詳述すると以下の通りである。
【００２９】
図６は、各画像信号線６４４を介して伝送される画像信号ＶＩＤとイネーブル信号線６３４を介して伝送されるイネーブル信号ＥＮＢとの関係を示すタイミングチャートである。図６（ａ）は画像信号ＶＩＤおよびイネーブル信号ＥＮＢの理想的な波形（すなわち設計上の波形）を示している。同図に示されるように、画像信号ＶＩＤは、理想的にはドットクロックＤＣＫの６周期分に相当する時間長にわたって画像の内容に応じた電圧レベル（以下「表示レベル」という）Ｖgを維持する一方、イネーブル信号ＥＮＢはこの期間内においてアクティブレベルとなる。しかしながら、実際の画像信号ＶＩＤおよびイネーブル信号ＥＮＢには上述したような信号歪みが生じるため、これらの信号の実際の波形は図６（ｂ）および（ｃ）に示すものとなる。図６（ｂ）は図４における地点Ａの近傍における画像信号ＶＩＤおよびイネーブル信号ＥＮＢの波形を示し、図６（ｃ）は図４における地点Ｂの近傍における画像信号ＶＩＤおよびイネーブル信号ＥＮＢの波形を示している。
【００３０】
ここで、イネーブル信号ＥＮＢに対する寄生容量や抵抗の影響はその伝送方向に対して下流側に至るほど大きくなる。したがって、図６（ｂ）および（ｃ）に示されるように、イネーブル信号ＥＮＢの伝送方向に対して地点Ａの下流側の地点Ｂに到達したイネーブル信号ＥＮＢは、地点Ａに到達したときのイネーブル信号ＥＮＢよりも位相が遅れることとなる。同様に、画像信号ＶＩＤに対する寄生容量や抵抗の影響はその伝送方向に対して下流側に至るほど大きくなる。したがって、図６（ｂ）および（ｃ）に示されるように、画像信号ＶＩＤの伝送方向に対して地点Ｂの下流側の地点Ａに到達した画像信号ＶＩＤは、地点Ｂに到達したときの画像信号ＶＩＤよりも波形のなまりが大きくなる。以上のようにＸ方向にわたって信号歪みの程度に相違が生じるため、地点Ｂの近傍においては画像信号ＶＩＤが表示レベルＶgに到達した（または接近した）段階でサンプリング回路６４によるサンプリングが終了するのに対し、地点Ａの近傍においては画像信号ＶＩＤが表示レベルＶgに到達する以前の段階（図６（ｂ）の符号「Ｑ」により示される段階）でサンプリングが終了することとなる。このため、ひとつの行に属する総ての画素に対して同一の階調が指示されたとしても、地点Ａに近いデータ線４１２に接続された画素電極４１３ほど印加電圧が小さくなり、この印加電圧の相違が階調の差異（ひいては表示ムラ）として観察者に視認されるのである。
【００３１】
本実施形態における信号補正回路２３は、この信号歪みの相違が補償されるように相展開画像信号Ｖａ1ないしＶａ6を補正する手段である。図７に示されるように、この信号補正回路２３は、カウンタ３１、補正量特定回路３２、メモリ３４および補正回路３６を有する。Ｓ／Ｐ変換回路２２から出力された６系統の相展開画像信号Ｖａ1ないしＶａ6は補正回路３６に供給されて補正の対象とされる。
【００３２】
カウンタ３１は、制御回路１から供給されるドットクロックＤＣＫを計数してカウント値ＣＮＴを出力する一方、制御回路１から転送開始パルスＤＹが供給されるたびにカウント値ＣＮＴをリセットする。このようにカウント値ＣＮＴは水平走査期間の最初にリセットされてドットクロックの１周期ごとに「１」ずつインクリメントされるから、このカウント値ＣＮＴは水平走査期間内において６ｎ本のデータ線４１２の各々を順次に指示する数値として捉えることができる。したがって、カウント値ＣＮＴを参照することにより、現に補正回路３６に入力されている相展開画像信号Ｖａ1ないしＶａ6に対応するブロックＢ（すなわちこれらの相展開画像信号Ｖａ1ないしＶａ6から得られた画像信号ＶＩＤ1ないしＶＩＤ6が供給されるべき６本のデータ線４１２の属するブロックＢ）を特定することができる。例えば、カウント値ＣＮＴが「０」から「５」までの数値であれば、現に補正回路３６に入力されている相展開画像信号Ｖａ1ないしＶａ6は１番目のブロックＢ1に対応するものであると特定することができ、カウント値ＣＮＴが「６」から「１１」までの数値であれば、現に補正回路３６に入力されている相展開画像信号Ｖａ1ないしＶａ6は２番目のブロックＢ2に対応するものであると特定することができる。
【００３３】
一方、補正量特定回路３２は、カウンタ３１によるカウント値ＣＮＴに基づいて補正量αを特定する回路である。さらに詳述すると、補正量特定回路３２は、カウント値ＣＮＴにより指示されるブロックＢごとに、そのブロックＢに対応する相展開画像信号Ｖａ1ないしＶａ6を補正するための補正量αを特定する。この補正量αの特定には補正量テーブル３２１が用いられる。図８に示されるように、補正量テーブル３２１は、カウンタ３１によるカウント値ＣＮＴと、そのカウント値ＣＮＴが示すブロックＢに対応する相展開画像信号Ｖａ1ないしＶａ6の補正に用いられる補正量α（α1、α2、…、αn）とが対応付けられたテーブルである。補正量特定回路３２は、カウンタ３１からカウント値ＣＮＴが入力されると、このカウント値ＣＮＴに対応する補正量αを補正量テーブル３２１から読み出したうえで補正回路３６に出力する。
【００３４】
本実施形態における補正量テーブル３２１は、メモリ３４に記憶されているいくつかの補正量αを補間することによって予め作成される。すなわち、このメモリ３４には、図９に示されるようにｎ個のブロックＢのうち一部のブロックＢについての補正量αのみが記憶されており、補正量テーブル３２１に含められるべき他のブロックＢの補正量αはメモリ３４に記憶された補正量αを補間することによって得られるのである。図９においては、１番目、ｎ／２番目、ｎ番目の各ブロックＢ（Ｂ1、Ｂn/2、およびＢn）の補正量α1、αn/2、αnのみがメモリ３４に記憶された場合を想定している。そして、液晶装置１００の電源が投入された直後のタイミング（すなわち画像が表示される前のタイミング）、または動作モードが切り替えられた直後のタイミングにおいて、これらの補正量αに対する直線補間によって他のブロックＢの補正量αが算定され、これにより図８に示される補正量テーブル３２１が作成されるのである。この構成によれば、予めメモリ３４に記憶しておく補正量αのデータ量を低減することができ、しかも補間の方法を適宜に選定することによって補正量テーブル３２１の内容（すなわち各ブロックＢごとの補正量α）を任意に変更することができるという利点がある。なお、補正量特定回路３２に設定される補正量テーブル３２１の内容は動作モードに応じて異なるが、この点については後に詳述する。
【００３５】
一方、図７に示される補正回路３６は、補正量特定回路３２から供給された補正量αに基づいて相展開画像信号Ｖａ1ないしＶａ6を補正する手段であり、相展開数に相当する６個の加算器６１を有する。図７に示されるように、これらの加算器６１には、相展開画像信号Ｖａ1ないしＶａ6がそれぞれ供給される一方、共通の補正量αが補正量特定回路３２から入力される。各加算器６１は、相展開画像信号Ｖａkと補正量αとを加算し、これにより得られた信号を補正画像信号Ｖｂkとして出力する。
【００３６】
次に、相展開画像信号Ｖａ1ないしＶａ6の補正に用いられる補正量αの具体的な内容を説明する。
補正量αは、画像信号線６４４における画像信号ＶＩＤのサンプリング位置に応じた信号歪みの相違と、イネーブル信号線６３４におけるイネーブル信号ＥＮＢの取り出し位置に応じた信号歪みの相違とが解消されるように選定される。ここで、データ線４１２と画像信号線６４４との導通／非導通を制御するサンプリングスイッチ６４１はサンプリング信号Ｓjに応じてオン状態とされるから、画素電極４１３に印加される電圧はサンプリング信号Ｓjが非アクティブレベルに遷移してサンプリングスイッチ６４１がオフ状態になったタイミング、すなわちイネーブル信号ＥＮＢが立ち下がったタイミングにおいて確定する。そこで、本実施形態においては、図１０に示されるように、信号歪みを伴なうイネーブル信号ＥＮＢが立ち下がるタイミングにおいて、信号歪みを伴なう画像信号ＶＩＤの電圧レベルが表示レベルＶgに到達するように（すなわち図１０における点「Ｑ’」に到達するように）、補正量テーブル３２１における補正量α（あるいはメモリ３４に記憶された補正量α）が実験により選定される。換言すれば、図１０に示されるように、画像信号ＶＩＤの電圧レベルを所期の表示レベルＶgよりも高い表示レベルＶg’に補正することにより、信号歪みを伴なう画像信号ＶＩＤが画素電極４１３に供給されるとき（すなわちイネーブル信号ＥＮＢが立ち下がるとき）の電圧レベルが表示レベルＶgとなるように、補正量αを特定するのである。なお、図１０においては補正を施さない場合の画像信号ＶＩＤ（図６（ｂ）に波形を示した信号）が破線により示されている。上述したように、画素電極４１３に供給される画像信号ＶＩＤの電圧レベルは、画像信号線６４４のうち画像信号ＶＩＤの伝送方向に対して下流側になるほど不足する傾向にある。したがって、補正量テーブル３２１の補正量α（あるいはメモリ３４に記憶された補正量）は、画像信号ＶＩＤの伝送方向に対して下流側のブロックＢに対応する補正量αほど大きい値となる。
【００３７】
さらに、補正量テーブル３２１に設定される補正量αの数値は動作モードに応じて異なる。例えば、第１の動作モードにおいては、図１１に示される方向Ｄ1に沿ってサンプリングが実行されるから、大きいカウント値ＣＮＴほど画像信号ＶＩＤの伝送方向に対して下流側のデータ線４１２を示すこととなる。したがって、第１の動作モードにて設定される補正量テーブル３２１においては、図１１（ａ）に示されるように、大きいカウント値ＣＮＴに対応付けられる補正量αほど大きい値となる。
【００３８】
一方、データ線４１２に対する画像信号ＶＩＤのサンプリング方向を逆転させた第２の動作モードにおいては、カウント値ＣＮＴと補正量αとの大小関係が第１の動作モードとは逆転するように、補正量テーブル３２１（あるいはメモリ３４に記憶される補正量α）が設定される。すなわち、画像信号ＶＩＤの伝送方向に対して下流側のブロックＢに対応する補正量αほど大きい数値とすべきことは第１の動作モードと同様であるが、第２の動作モードにおいては、図１１に示されるように、カウント値ＣＮＴとサンプリングの対象とされるブロックＢとの対応関係が第１の動作モードとは逆転することとなる。例えば、第２の動作モードにおいては、カウント値ＣＮＴが「０」から「５」までの数値であれば、現に補正回路３６に入力されている相展開画像信号Ｖａ1ないしＶａ6はｎ番目のブロックＢnに対応するものであると特定され、カウント値ＣＮＴが「６」から「１１」までの数値であれば、現に補正回路３６に入力されている相展開画像信号Ｖａ1ないしＶａ6は（ｎ−１）番目のブロックＢ(n-1)に対応するものであると特定されるといった具合である。このため、第２の動作モードに対応する補正量テーブル３２１においては、図１１（ｂ）に示されるように、小さいカウント値ＣＮＴに対して大きい補正量αが対応付けられ、カウント値ＣＮＴが大きくなるほど当該カウント値ＣＮＴに対応付けられる補正量αは小さくなる。
【００３９】
以上のように選定された補正量αが補正回路３６の各加算器６１によって各相展開画像信号Ｖａ1、Ｖａ2、…、Ｖａ6に足し合わされる結果、各ブロックＢのデータ線４１２を介して画素電極４１３に供給される画像信号ＶＩＤの電圧レベルは、そのブロックＢの位置に拘わらず表示レベルＶgに略一致することとなる。このように、本実施形態においては、データ線４１２の位置（さらに詳細には、画像信号線６４４における画像信号ＶＩＤのサンプリング位置とイネーブル信号線６３４におけるイネーブル信号ＥＮＢの取り出し位置）に応じた補正量αを用いて相展開画像信号Ｖａ1ないしＶａ6が補正されるから、データ線４１２の位置に応じた信号歪みの相違が補償されて表示ムラが防止される。
【００４０】
＜Ｂ：変形例＞
以上に説明した実施形態はあくまでも例示である。この形態に対しては本発明の趣旨から逸脱しない範囲で種々の変形が加えられ得る。具体的には、以下のような変形例が考えられる。
【００４１】
（１）上記実施形態においては複数のデータ線４１２を区分したブロックＢごとに画像信号ＶＩＤがサンプリングされる構成を例示したが、１本のデータ線４１２ごとに画像信号ＶＩＤをサンプリングする構成（いわゆる点順次）も採用され得る。より具体的には、図１２に示されるように、合計ｎ本のデータ線４１２の各々に対応するようにイネーブル回路６３のＡＮＤゲート６３１を設けるとともに、サンプリング回路６４に設けられたｎ個のサンプリングスイッチ６４１のソースを１本の画像信号線６４４に対して共通に接続する構成としてもよい。この構成にあっても、画像信号ＶＩＤ（ここでは１系統）やイネーブル信号ＥＮＢに信号歪みが生じ得るが、本発明に係る画像信号処理装置（上記実施形態における画像信号処理回路２）を適用することにより、この信号歪みの相違を補償して良好な表示品位が実現される。なお、上記実施形態のようにブロックＢごとに画像信号ＶＩＤをサンプリングする構成のもとでは画像信号ＶＩＤやイネーブル信号ＥＮＢの信号歪みの程度がブロックＢごとに相違することとなるから、仮に総ての画素を同一の階調にて表示しようとした場合であっても、ひとつのブロックＢに属する複数のデータ線４１２に対応して縦方向に延びる帯状の領域ごとに階調が相違することとなる。したがって、この構成のもとでは、データ線４１２ごとに画像信号ＶＩＤをサンプリングする構成と比較して、階調の相違が観察者に特に視認されやすいという事情がある。この事情を考慮すると、本発明は、ブロックＢごとに画像信号ＶＩＤをサンプリングする構成を採用した液晶装置１００に対して特に好適であると言える。
【００４２】
（２）上記実施形態においては画像信号ＶＩＤの伝送方向とイネーブル信号ＥＮＢの伝送方向とを逆にした構成を例示したが、これらの信号の伝送方向を同一方向としてもよい。このように画像信号ＶＩＤおよびイネーブル信号ＥＮＢの伝送方向を同一とした構成のもとでは、伝送方向に対して下流側ほど、画像信号ＶＩＤの波形なまりが大きくなるとともにイネーブル信号ＥＮＢの位相の遅延が大きくなる。したがって、この構成においては、画像信号ＶＩＤの波形になまりが生じたとしても、イネーブル信号ＥＮＢの位相が遅延した分だけ当該画像信号ＶＩＤの電圧レベルが表示レベルＶgに近づくまでの時間が確保されることとなる。これに対し、上記実施形態のように画像信号ＶＩＤおよびイネーブル信号ＥＮＢの伝送方向を逆にした場合には、画像信号ＶＩＤの伝送方向に対して下流側ほど（換言すればイネーブル信号ＥＮＢの伝送方向に対して上流側ほど）、画像信号ＶＩＤの波形なまりが大きくなる一方でイネーブル信号ＥＮＢの位相の遅延は小さくなる。すなわち、上記実施形態に係る構成においては、本変形例に係る構成と比較して、画像信号ＶＩＤの変化（表示レベルＶgへの接近）に費やされる時間がより短いと言える。したがって、本発明は、画像信号ＶＩＤの伝送方向とイネーブル信号ＥＮＢの伝送方向とが逆とされた液晶装置１００に対して特に好適であると言える。
【００４３】
（３）上記実施形態においては、Ｓ／Ｐ変換回路２２の後段に信号補正回路２３を設けることにより相展開を経た相展開画像信号Ｖａ1ないしＶａ6を補正する構成を例示したが、信号補正回路２３の位置（すなわち補正のタイミング）はこれに限られない。例えば、Ｄ／Ａ変換器２１やＳ／Ｐ変換回路２２の前段に設けられた信号補正回路２３によって相展開前の画像信号を補正する構成としてもよいし、増幅・反転回路２６の後段に設けられた信号補正回路２３よって画像信号ＶＩＤ1ないしＶＩＤ6を補正する構成としてもよい。
【００４４】
（４）前掲図７に示された構成は信号補正回路２３の一例である。すなわち、信号補正回路２３は、画像信号線６４４の延在方向に対するデータ線４１２の位置、およびイネーブル信号線６３４の延在方向に対するデータ線４１２の位置の少なくとも一方に基づいて当該データ線４１２に対する画像信号ＶＩＤを補正する機能を有する装置であれば足り、その具体的な構成の如何は不問である。また、上記実施形態においてはメモリ３４に記憶された補正量αを補間することによって補正量テーブル３２１を設定する構成を例示したが、補正量テーブル３２１が予め作成された構成も採用され得る。さらに、上記実施形態においてはカウンタ３１によるカウント値ＣＮＴをデータ線４１２の位置を示す数値として利用する構成を例示したが、データ線４１２の位置を特定するための構成がこれに限定されないことはもちろんである。
【００４５】
（５）上記実施形態においてはメモリ３４に記憶された補正量αを直線補間することによって総てのブロックＢに関する補正量αを算定する構成を例示したが、補正量αを補間する方法はこれに限られない。例えば、図８および図９に示したようにカウント値ＣＮＴを横軸として補正量αを縦軸とした平面上に、メモリ３４に記憶された補正量αとカウント値ＣＮＴとの組み合わせに相当する座標を通過する所定の曲線を想定し、カウント値ＣＮＴごとに当該曲線上の補正量αを算定するようにしてもよい。このときに用いられる曲線の態様は任意である。また、補間に用いられる補正量αの個数（上記実施形態においてはα1、αn/2およびαnの３個）が任意であることはもちろんである。
【００４６】
（６）上記実施形態においては、制御回路１、画像信号処理回路２、走査線駆動回路５およびデータ線駆動回路６を別個の集積回路として構成したが、これらの回路の一部または全部を単一の集積回路として構成してもよい。また、画像信号処理回路２の機能は、専用のハードウェア（回路）のみによって実現されてもよいし、ＣＰＵなどの演算制御装置がプログラムを実行することによって実現されてもよい。
【００４７】
（７）上記実施形態および各変形例においては液晶装置を例示したが、本発明は液晶装置以外の電気光学装置にも適用され得る。すなわち、画像信号の供給という電気的な作用を輝度や光透過率の変化といった光学的な作用に変換する電気光学物質を用いて画像を表示する装置であれば本発明が適用され得る。例えば、有機ＥＬや発光ポリマーなどのＯＬＥＤ素子を電気光学物質として用いた表示装置や、ヘリウムやネオンなどの高圧ガスを電気光学物質として用いたプラズマディスプレイパネル（ＰＤＰ）、蛍光体を電気光学物質として用いたフィールドエミッションディスプレイ（ＦＥＤ）、着色された液体と当該液体に分散された白色の粒子とを含むマイクロカプセルを電気光学物質として用いた電気泳動表示装置、極性が相違する領域ごとに異なる色に塗り分けられたツイストボールを電気光学物質として用いたツイストボールディスプレイ、あるいは、黒色トナーを電気光学物質として用いたトナーディスプレイなど各種の電気光学装置に本発明が適用され得る。
【００４８】
＜Ｃ：電子機器＞
次に、本発明に係る電気光学装置を有する電子機器について説明する。
【００４９】
（１）プロジェクタ
図１３は、本発明に係る電気光学装置（ここでは上記実施形態に係る液晶装置１００）をライトバルブとして用いたプロジェクタの構成を示す平面図である。同図に示されるように、プロジェクタ２１００は、ハロゲンランプなどの白色光源からなるランプユニット２１０２を有する。このランプユニット２１０２から出射した投射光は、３枚のミラー２１０４および２枚のダイクロイックミラー２１０８によって赤色（Ｒ）、緑色（Ｇ）および青色（Ｂ）の３原色に対応する波長の光に分離され、各色に対応するライトバルブ１００Ｒ、１００Ｇおよび１００Ｂにそれぞれ導かれる。なお、青色に対応する光は、他色に対応する光と比較して光路が長いので、その損失を防ぐためにリレーレンズ系２１２１を介してライトバルブ１００Ｂに導かれる。リレーレンズ系２１２１は、入射レンズ２１２２、リレーレンズ２１２３および出射レンズ２１２４からなる。
【００５０】
ここで、ライトバルブ１００Ｒ、１００Ｇおよび１００Ｂは上記実施形態に係る液晶装置１００と同様の構成を有し、画像信号処理回路２から供給される赤色、緑色および青色の各色に対応する画像信号によって各々が駆動される。これらのライトバルブ１００Ｒ、１００Ｇおよび１００Ｂによって変調された光は、ダイクロイックプリズム２１１２に異なる方向から入射する。そして、このダイクロイックプリズム２１１２において、赤色および青色の光は９０度だけ屈折させられる一方、緑色の光は直進する。この構成のもと、各色の画像を合成したカラー画像が投射レンズ２１１４によってスクリーン２１２０に投射される。
【００５１】
（２）パーソナルコンピュータ  
まず、本発明に係る電気光学装置を、可搬型のパーソナルコンピュータ（いわゆるノート型パソコン）の表示部に適用した例について説明する。図１４は、このパーソナルコンピュータの構成を示す斜視図である。同図に示すように、パーソナルコンピュータ２２００は、キーボード２２０２を備えた本体部２２０４と、上記実施形態に係る液晶装置１００を備えた表示部２２０６とを有する。
【００５２】
なお、本発明に係る電気光学装置が利用され得る電子機器としては、図１３に示されるプロジェクタや図１４に示されるパーソナルコンピュータのほかにも、液晶テレビ、ビューファインダ型（またはモニタ直視型）のビデオレコーダ、カーナビゲーション装置、ページャ、電子手帳、電卓、ワードプロセッサ、ワークステーション、テレビ電話、ＰＯＳ端末、タッチパネルを備えた機器等などが挙げられる。
【図面の簡単な説明】
【００５３】
【図１】本発明の実施形態に係る液晶装置の全体構成を示すブロック図である。
【図２】液晶装置のうち液晶パネルの構成を示す断面図である。
【図３】液晶パネルのうち素子基板上に設けられた各要素の構成を示すブロック図である。
【図４】液晶パネルのうちデータ線駆動回路の構成を示すブロック図である。
【図５】液晶装置の動作を説明するためのタイミングチャートである。
【図６】画像信号およびイネーブル信号に生じる信号歪みについて説明するための図である。
【図７】液晶装置の画像信号処理装置のうち信号補正回路の構成を示すブロック図である。
【図８】信号補正回路における補正量テーブルの内容を説明するための図である。
【図９】信号補正回路におけるメモリの記憶内容を説明するための図である。
【図１０】信号補正回路において用いられる補正量について説明するための図である。
【図１１】各動作モードにおけるサンプリングの方向や補正量の大小を説明するための図である。
【図１２】変形例に係るデータ線駆動回路の構成を示すブロック図である。
【図１３】本発明に係る電子機器の一例たるプロジェクタの構成を示す平面図である。
【図１４】本発明に係る電子機器の一例たるパーソナルコンピュータの構成を示す斜視図である。
【符号の説明】
【００５４】
１００……液晶装置、１……制御回路、２……画像信号処理回路、２１……Ｄ／Ａ変換器、２２……Ｓ／Ｐ変換回路、２３……信号補正回路、２６……増幅・反転回路、４……液晶パネル、４１……素子基板、４１１……走査線、４１２……データ線、４１３……画素電極、４１４……ＴＦＴ、４２……対向基板、４２１……対向電極、５……走査線駆動回路、６……データ線駆動回路、６１……シフトレジスタ、６３……イネーブル回路、６３４……イネーブル信号線、６４……サンプリング回路、６４４……画像信号線、３１……カウンタ、３２……補正量特定回路（特定手段）、３２１……補正量テーブル、３４……メモリ、３６……補正回路（補正手段）、３６１……加算器。
【図１】
2005157304.tif 000003
【図２】
2005157304.tif 000004
【図３】
2005157304.tif 000005
【図４】
2005157304.tif 000006
【図５】
2005157304.tif 000007
【図６】
2005157304.tif 000008
【図７】
2005157304.tif 000009
【図８】
2005157304.tif 000010
【図９】
2005157304.tif 000011
【図１０】
2005157304.tif 000012
【図１１】
2005157304.tif 000013
【図１２】
2005157304.tif 000014
【図１３】
2005157304.tif 000015
【図１４】
2005157304.tif 000016